(57)【要約】【課題】開閉扉の開放時に生じる隙間を確実に閉塞できるとともに、構成の簡素化、低コスト化、小型化を図る上で有利な扉開閉機構および電子機器を提供する。【解決手段】開閉扉３０の扉本体３００４は、筐体１３０の前面１３２に形成され、内側アーム３００８は扉本体３００４の背面に設けられている。開閉扉３０は、起立位置と倒伏位置との間で内側アーム３００８を介し軸受部３０１０を支点として上下に揺動可能に配設されている。蓋片３２は、開閉扉３０が起立位置から倒伏位置に揺動されると、蓋片３２は、自重によって下方に揺動してほぼ鉛直方向に垂れ下がり、隙間Ｓを閉塞する閉塞位置となる。【選択図】        図７
2004259817.tif 000002
【特許請求の範囲】
【請求項１】
筐体のほぼ上下に延在する外壁箇所の外部に配設される扉本体と、前記外壁箇所の開口を通って筐体の内外に延在し一端が前記扉本体に連結され他端が筐体の内部で軸受部に支持されたアームとからなる開閉扉を備え、
前記開閉扉は、前記扉本体が前記外壁箇所に沿って延在し該外壁箇所を覆う起立位置と、前記扉本体が倒伏し前記外壁箇所を開放する倒伏位置との間で前記アームを介し前記軸受部を支点として上下に揺動可能に配設され、
前記開閉扉が前記倒伏位置に揺動した状態で、前記開口内において該開口内に位置するアーム部分の上方に生じる上下に縦長の隙間が閉塞される大きさの縦長の蓋片が設けられ、
前記蓋片は、その上部が前記開口内の上部箇所に揺動可能に支持され、
前記蓋片は、前記開閉扉が前記倒伏位置から起立位置に揺動される際に前記アームに当接し揺動されることで筐体の内側でほぼ水平方向に延在する退避位置となり、前記開閉扉が前記起立位置から倒伏位置に揺動されると自重によって下方に揺動して垂れ下がり前記隙間を閉塞する閉塞位置となるように構成されている、
ことを特徴とする扉開閉機構。
【請求項２】
前記アームには係合部が設けられ、前記係合部は、前記開閉扉の倒伏位置において前記蓋片の下端に係合し、前記蓋片の前記閉塞位置から前方への揺動を阻止するように構成されていることを特徴とする請求項１記載の扉開閉機構。
【請求項３】
前記アームには係合部が設けられ、前記係合部は、前記開閉扉の倒伏位置において前記蓋片の下端に係合し、前記開閉扉が倒伏位置から起立位置に揺動する際に前記蓋片を前記退避位置方向に揺動させるように構成されていることを特徴とする請求項１記載の扉開閉機構。
【請求項４】
前記蓋片は、前記閉塞位置において前記外壁箇所の外方に臨む前面と、前記外壁箇所の内方に臨む背面を有し、前記閉塞位置において前記蓋片の前面は、前記開口の周囲の外壁部分とほぼ同一面上に位置するように設けられていることを特徴とする請求項１記載の扉開閉機構。
【請求項５】
筐体と、前記筐体の内部に収容された機器部と、前記筐体のほぼ上下に延在する外壁箇所に配設され前記機器部に対して操作指令を与える操作ボタンと、前記操作ボタンが配設された外壁箇所を開放および閉塞する開閉扉とを備えた電子機器であって、
前記開閉扉は、前記外壁箇所の外部に配設される扉本体と、前記外壁箇所の開口を通って筐体の内外に延在し一端が前記扉本体に連結され他端が筐体の内部で軸受部に支持されたアームとを有し、
前記開閉扉は、前記扉本体が前記外壁箇所に沿って延在し該外壁箇所を覆う起立位置と、前記扉本体が倒伏し前記外壁箇所を開放する倒伏位置との間で前記アームを介し前記軸受部を支点として上下に揺動可能に配設され、
前記開閉扉が前記倒伏位置に揺動した状態で、前記開口内において該開口内に位置するアーム部分の上方に生じる上下に縦長の隙間が閉塞される大きさの縦長の蓋片が設けられ、
前記蓋片は、その上部が前記開口内の上部箇所に揺動可能に支持され、
前記蓋片は、前記開閉扉が前記倒伏位置から起立位置に揺動される際に前記アームに当接し揺動されることで筐体の内側でほぼ水平方向に延在する退避位置となり、前記開閉扉が前記起立位置から倒伏位置に揺動されると自重によって下方に揺動して垂れ下がり前記隙間を閉塞する閉塞位置となるように構成されている、
ことを特徴とする電子機器。
【請求項６】
前記アームには係合部が設けられ、前記係合部は、前記開閉扉の倒伏位置において前記蓋片の下端に係合し、前記蓋片の前記閉塞位置から前方への揺動を阻止するように構成されていることを特徴とする請求項５記載の電子機器。
【請求項７】
前記アームには係合部が設けられ、前記係合部は、前記開閉扉の倒伏位置において前記蓋片の下端に係合し、前記開閉扉が倒伏位置から起立位置に揺動する際に前記蓋片を前記退避位置方向に揺動させるように構成されていることを特徴とする請求項５記載の電子機器。
【請求項８】
前記蓋片は、前記閉塞位置において前記外壁箇所の外方に臨む前面と、前記外壁箇所の内方に臨む背面を有し、前記閉塞位置において前記蓋片の前面は、前記開口の周囲の外壁部分とほぼ同一面上に位置するように設けられていることを特徴とする請求項５記載の電子機器。
【発明の詳細な説明】
【０００１】
【発明の属する技術分野】
本発明は扉開閉機構および電子機器に関する。
【０００２】
【従来の技術】
従来から、オーデォオ機器などの電子機器においては、デザイン性を重視するなどの観点から、筐体に設けた操作スイッチなどの操作部材のうち、操作する頻度が少ないものは開閉扉で覆っておき、操作するときにのみ前記開閉扉を開いて前記操作部材を露出させる扉開閉機構が提供されている。
この種の扉開閉機構では、開閉扉にアームを設け、このアームを筐体の開口から筐体の内部に延在させ、その端部を筐体の内部の軸受部で揺動可能に支持するようにしている。
しかしながらこのような構成では、前記開閉扉が開いた状態では、開閉扉のアームの大部分は筐体の外部に位置するものの、開閉扉が閉じた状態では、前記アームは筐体の内部に大きく突出するため、筐体の内部に開閉扉の揺動の際のアームの揺動スペースを十分に確保する必要がある。
一方、機器の小型化を図るため、筐体の内部には各種構成部品が密集して配設され、そのため、前記開閉扉の揺動の際のアームの揺動スペースを十分に確保し難い。
このような事情から、アームの形状に制約が課せられ、開閉扉を開いた際に、開口内において該開口内に位置するアーム部分の上方に隙間が空いてしまう場合が多い。そして、開口内に隙間が空くと、美観が損なわれる不具合が生じ、また、隙間からの塵埃やノイズが侵入してしまう不具合が生じる。
このような不具合を解消する扉開閉機構として、例えば、電子機器の筐体の内部に、開閉扉のアームに連結された複数の歯車を設け、アームを歯車に連係させて移動させることにより前記隙間をなるべく生じさせないようにしたものが提供されている（例えば特許文献１）。
【０００３】
【特許文献１】
実開平６−６６６３号公報
【０００４】
【発明が解決しようとする課題】
しかしながら上述の構成では、機構が複雑で部品点数も多いため、低コスト化、小型化を図る上で不利である。
本発明は前記事情に鑑み案出されたものであって、本発明の目的は、開閉扉の開放時に生じる隙間を確実に閉塞できるとともに、構成の簡素化、低コスト化、小型化を図る上で有利な扉開閉機構および電子機器を提供することにある。
【０００５】
【課題を解決するための手段】
本発明の扉開閉機構は、前記目的を達成するため、筐体のほぼ上下に延在する外壁箇所の外部に配設される扉本体と、前記外壁箇所の開口を通って筐体の内外に延在し一端が前記扉本体に連結され他端が筐体の内部で軸受部に支持されたアームとからなる開閉扉を備え、前記開閉扉は、前記扉本体が前記外壁箇所に沿って延在し該外壁箇所を覆う起立位置と、前記扉本体が倒伏し前記外壁箇所を開放する倒伏位置との間で前記アームを介し前記軸受部を支点として上下に揺動可能に配設され、前記開閉扉が前記倒伏位置に揺動した状態で、前記開口内において該開口内に位置するアーム部分の上方に生じる上下に縦長の隙間が閉塞される大きさの縦長の蓋片が設けられ、前記蓋片は、その上部が前記開口内の上部箇所に揺動可能に支持され、前記蓋片は、前記開閉扉が前記倒伏位置から起立位置に揺動される際に前記アームに当接し揺動されることで筐体の内側でほぼ水平方向に延在する退避位置となり、前記開閉扉が前記起立位置から倒伏位置に揺動されると自重によって下方に揺動して垂れ下がり前記隙間を閉塞する閉塞位置となるように構成されていることを特徴とする。
また、本発明の電子機器は、筐体と、前記筐体の内部に収容された機器部と、前記筐体のほぼ上下に延在する外壁箇所に配設され前記機器部に対して操作指令を与える操作ボタンと、前記操作ボタンが配設された外壁箇所を開放および閉塞する開閉扉とを備えた電子機器であって、前記開閉扉は、前記外壁箇所の外部に配設される扉本体と、前記外壁箇所の開口を通って筐体の内外に延在し一端が前記扉本体に連結され他端が筐体の内部で軸受部に支持されたアームとを有し、前記開閉扉は、前記扉本体が前記外壁箇所に沿って延在し該外壁箇所を覆う起立位置と、前記扉本体が倒伏し前記外壁箇所を開放する倒伏位置との間で前記アームを介し前記軸受部を支点として上下に揺動可能に配設され、前記開閉扉が前記倒伏位置に揺動した状態で、前記開口内において該開口内に位置するアーム部分の上方に生じる上下に縦長の隙間が閉塞される大きさの縦長の蓋片が設けられ、前記蓋片は、その上部が前記開口内の上部箇所に揺動可能に支持され、前記蓋片は、前記開閉扉が前記倒伏位置から起立位置に揺動される際に前記アームに当接し揺動されることで筐体の内側でほぼ水平方向に延在する退避位置となり、前記開閉扉が前記起立位置から倒伏位置に揺動されると自重によって下方に揺動して垂れ下がり前記隙間を閉塞する閉塞位置となるように構成されていることを特徴とする。
そのため、本発明によれば、簡単な構成の蓋片を単に設けることで、開閉扉が倒伏位置に揺動した状態で、開口内においてアーム部分の上方に生じる上下に縦長の隙間を閉塞でき、開口の隙間からの塵埃やノイズの筐体への侵入を防止し、筐体の美観を向上することができる。
【０００６】
【発明の実施の形態】
以下、本発明による扉開閉機構および電子機器の実施の形態を図面に基づいて詳細に説明する。
図１は、本発明の第１の実施の形態における電子機器としての光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、トレー１０、トレー駆動手段２２、制御部１２４などを備えて構成されており、これら各部によって特許請求の範囲の機器部が構成されている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【０００７】
前記信号処理部１１０は、信号の変調、復調及びＥＣＣ（エラー訂正符号）の付加などの処理を行う。この信号処理部１１０の指令に従って、前記光ヘッド１０４による前記記録、再生が行われる。
前記インターフェース部１１２は、前記信号処理部１１０から供給される復調された再生信号を前記光ディスク装置１００の外部に送出するように構成されている。
前記操作手段１１４は、前記光ディスク装置１００に対する操作を行なうためのものであり、前記トレー１０の突出や引込の操作を行なうための操作ボタンなどを有して構成されている。
前記表示手段１１６は、前記光ディスク装置１００の動作状態を表示するためのものであり、ＬＥＤランプや文字表示器などを有して構成されている。
前記トレー１０は、光ディスク装置１００の筐体の外部と内部の間で光ディスク１０１の受け渡しを行なうように構成されている。
前記トレー駆動手段２２は、前記トレー１０を突出方向および引込方向に駆動するように構成されている。
前記制御部１２６は、上述したスピンドルモータ１０２、サーボ制御部１０８、信号処理部１１０、インターフェース部１１２、操作部１１４、表示部１１６、トレー駆動手段２２などの制御を司るものである。
【０００８】
図２は本発明の実施の形態における光ディスク装置の開閉扉が閉塞位置にある状態を示す斜視図、図３は開閉扉が開放位置にある状態を示す斜視図、図４はトレーが突出された状態を示す斜視図である。
図２に示すように、光ディスク装置１００は、高さと、左右方向の幅と、前後方向の長さを有する矩形板状の筐体１３０を有している。
図３に示すように、前記筐体１３０の前部には、矩形状の前面１３２と、前記前面１３２の上方でかつ後方に位置し斜め上方に向いた矩形状の傾斜面１３４と、前面１３２の上縁と傾斜面１３２の下縁を接続し上方に向いた上面１３６とが形成されている。
【０００９】
図２に示すように、前記上面１３６には、複数の操作ボタン１４０が左右方向に並べて設けられており、これら操作ボタン１４０は、この光ディスク装置１００の電源のオンオフを行なう電源スイッチ、前記トレー駆動手段２２によるトレー１０の突出動作および引込動作を指示するためのトレー操作ボタン、光ディスクに対する記録、再生、早送り、早戻しなどを指示するための各種操作ボタンなどを含んで構成され、前記操作手段１１４を構成している。
前記傾斜面１３４には、文字や記号などを表示する表示器１４２、動作状態や操作状態を表示するＬＥＤランプ１４４などが配置され、これらは前記表示手段１１６を構成している。
【００１０】
図３に示すように、前記前面１３２は左右および上下方向に延在しており、この前面１３２は開閉扉３０により開閉され、前記開閉扉３０は、前記前面１３２の前方に配設された扉本体３００４と、この扉本体３００４に設けられた外側アーム３００６と内側アーム３００８とを備えている。
前記開閉扉３０は、図２および図５に示すように、前記扉本体３００４が前記前面１３２に沿って延在し該前面１３２を覆う起立位置と、図３および図７に示すように、前記扉本体３００４が倒伏し前記前面１３２を開放する倒伏位置との間で揺動される。
前記前面１３２には、比較的操作頻度の少ない各種の操作ボタン、コネクタなどが設けられている。
すなわち、前記前面１３２の左寄りの箇所には、信号入出力用のコネクタ１４６と操作ボタン１４８が設けられ、前面１３の右寄りの箇所には、メニュー操作ボタン１５０と、操作ボタン１５１と、メモリーカード接続用のスロット１５２とが設けられている。
【００１１】
図４に示すように、前記開閉扉３０の扉本体３００４の上部の中央には上方が開放された矩形状の切欠３００２が形成され、前記前面１３２の上部には、前記切欠３００２に臨むように細長形状の開口部１３９が設けられ、前記トレー１０が前記凹部３００２および開口部１３９を介して筐体１３０の内部と外部とにわたって出没可能に設けられている。
前記トレー１０は、光ディスクが載置される矩形板状のトレー本体１２と、該トレー本体１２の前端に取着されるトレー蓋１６とを備えている。
前記トレー１０上に光ディスクが載置され、前記トレー操作ボタンによって引込動作の操作がなされると、図２に示すように、トレー本体１２が筐体１３０の内部に引込まれ、前記トレー蓋１６により開閉扉３０の切欠３００２および筐体１３０の開口部１３９が塞がれる。
また、前記トレー操作ボタンによって突出動作の操作がなされると、図４に示すように、前記トレー本体１２が筐体１３０の前方に突出される。
【００１２】
図２、図３に示すように、前記開閉扉３０の扉本体３００４は、前記筐体１３０の前面１３２（特許請求の範囲の外壁箇所に相当）に対応して左右に横長に形成され、前記外側アーム３００６は、前記扉本体３００４の背面の左右両側にそれぞれ設けられ、前記内側アーム３００８は、これら外側アーム３００６の内側にそれぞれ設けられている。
図３に示すように、前記外側アーム３００６と内側アーム３００８は、前記前面１３２に上下に縦長に形成された開口１３３をそれぞれ通って筐体１３０の内外に延在している。
図５乃至図７に示すように、内側アーム３００８の端部は筐体１３０の内部において軸受部３０１０で回転可能に支持されており、本実施の形態では前記軸受部３００６は筐体１３０の左右方向に軸心を向けた支軸で構成されている。また、図示しないが、前記外側アーム３００６の端部も前記軸受部３０１０で支持されている。
そして、前記開閉扉３０は、起立位置と倒伏位置との間で前記外側アーム３００６および内側アーム３００８を介し前記軸受部３０１０を支点として上下に揺動可能に配設されている。
【００１３】
なお、図５乃至図７に示すように、筐体１３０の内部において前記２つの内側アーム３００８の後方に臨む箇所に上下方向および左右方向に延在するプリント基板１５４が配設されているが、該プリント基板１５４の左右方向の幅は前記２つの外側アーム３００６の間隔よりも短い寸法で形成されているため、外側アーム３００６の後方には前記プリント基板１５４が位置していない。
そのため、外側アーム３００６は、筐体１３０の内部においてその揺動スペースが何ら拘束されておらず、開閉扉３０が倒伏位置に揺動した状態で開口１３３内に隙間が生じない形状で形成されており、開閉扉３０が起立位置に揺動すると外側アーム３００６は筐体１３０の内部に突出することになる。
一方、内側アーム３００８は前記プリント基板１５４によりその揺動スペースが制限されているため、開閉扉３０が起立位置に揺動した状態で筐体１３０の内部に突出しない形状で形成されており、開閉扉３０が倒伏位置に揺動すると、開口１３３内において該開口１３３内に位置する内側アーム３００８部分の上方に上下に縦長の隙間Ｓ（図７参照）が生じる。
【００１４】
そこで、本実施の形態では、蓋片３２によりこの隙間を塞ぐようにしている。前記蓋片３２は、開閉扉３０が前記倒伏位置に揺動した状態で、前記開口１３３内において内側アーム３００８の上方に生じる上下に縦長の隙間Ｓが閉塞される大きさで縦長状に形成され、より詳細には、縦長の隙間Ｓが閉塞されるような幅および長さで形成されている。
前記蓋片３２は合成樹脂製で、その上端が支軸３２０１を介して前記開口１３３内の上端の壁面箇所に揺動可能に支持されている。
前記蓋片３２は、図５に示すように、前記開閉扉３０が前記倒伏位置から起立位置に揺動される際に前記内側アーム３００８に当接し揺動されることで筐体１３０の内側でほぼ水平方向に延在する退避位置となる。また、図５乃至図７に示すように、前記開閉扉３０が前記起立位置から倒伏位置に揺動されると、蓋片３２は、自重によって下方に揺動してほぼ鉛直方向に垂れ下がり、前記隙間Ｓを閉塞する閉塞位置となる。
前記蓋片３２は、前記閉塞位置において前記前面１３２の前方に臨む前面３２０２と、前記前面の内方に臨む背面３２０４とを有し、前記閉塞位置において前記蓋片３２の前面３２０２は、前記開口１３３の周囲の前面１３２部分とほぼ同一面上に位置するように設けられている。
【００１５】
本実施の形態では、蓋片３２の支軸３２０１とは反対側に位置する端部に、すなわち蓋片３２がほぼ鉛直方向に垂れ下がった状態の下端（自由端）に、斜め下方を向いた湾曲面からなる係合部３２０６が形成されている。
また、開閉扉３０が倒伏位置となった状態で前記開口１３３内に位置する内側アーム３００８部分の上面には凸状の係合部３００９が設けられている。
前記係合部３２０６、３００９は、前記開閉扉３０が倒伏位置に揺動した状態において互いに係合し、前記蓋片３２が前記閉塞位置からさらに前方へ揺動することが阻止され、これにより蓋片３２の閉塞位置が安定した状態で維持されるように構成されている。
また、前記係合部３２０６、３００９は、前記開閉扉３０が倒伏位置に揺動した状態において互いに係合し、前記開閉扉３０が倒伏位置から起立位置に揺動する際に前記蓋片３２を前記退避位置方向に揺動させるように構成され、これにより蓋片３２の閉塞位置から退避位置への揺動が円滑に行なわれるように構成されている。
【００１６】
本実施の形態によれば、開閉扉３０が倒伏位置に揺動した状態で、前面１３２の開口１３３内において内側アーム３００８部分の上方に生じる上下に縦長の隙間Ｓが蓋片３２により閉塞される。
したがって、開閉扉３０を開き前面１３２の信号入出力用のコネクタ１４６、操作ボタン１４８、メニュー操作ボタン１５０、操作ボタン１５１、メモリーカード接続用のスロット１５２などの操作ボタンやコネクタを露出させた際に、前面１３２の開口１３３を蓋片３２により確実に塞ぐことができる。
したがって、簡単な構成の蓋片３２を単に設けるのみで、開口１３３の隙間Ｓからの塵埃の侵入を防止でき、また、静電ノイズなどの電磁波が隙間Ｓから筐体１３０に侵入して筐体１３０内部の電気回路に悪影響を及ぼすことを防止できる。
また、開口１３３の隙間Ｓを確実に閉塞できる扉開閉機構および電子機器を、従来よりも簡素な構成で実現できるので、低コスト化、小型化を図る上で極めて有利となる。
また、開閉扉３０が倒伏位置に揺動した状態で、蓋片３２の前面３２０２が前記開口１３３の周囲の前面１３２箇所とほぼ同一面上に位置するので、前面１３２を露出させた状態で該前面１３２の美観を損なうこともなく、また、前面１３２の前方に突出しないのでユーザーにとって邪魔にならず、さらに、蓋片３２に無理な力が加わって該蓋片３２が破損されることも防止される。
また、開口１３３の隙間Ｓは蓋片３２により閉塞されるので、開閉扉３０を筐体１３０の底面付近まで大きく倒伏でき、したがって、前記前面１３２の全域を前方に広く開放させ、前面１３２に配置されている各種操作ボタンやコネクタの操作性を向上させる上で有利となる。
なお、前記の実施の形態では、本発明を光ディスク装置に適用した場合について説明したが、開閉扉を有する光ディスク装置以外のその他の電子機器にも本発明は無論適用される。
【００１７】
次に、図３に示すように、前記前面１３２に設けられている前記メニュー操作ボタン１５０について説明する。
図８はメニュー画面の説明図、図９はメニュー操作ボタンの部分を拡大した斜視図である。
まず、前記メニュー操作ボタン１５０によって操作されるメニューについて説明する。
図１に示すように、本実施の形態では、前記光ディスク装置１００の制御部１２６を不図示のディスプレイ用インターフェース部を介して外部のディスプレイ装置に接続することで、図８に示すように、前記制御部１２６が実行する種々の制御動作を示すメニュー５２を前記外部のディスプレイ装置の画面５０に表示させるように構成されている。
前記メニュー５２は、上位メニュー５２Ａと、下位メニュー５２Ｂとによって階層的に構成されている。なお、メニューの階層は３階層以上であってもよい。
すなわち、前記上位メニュー５２Ａは複数の選択項目Ａ乃至Ｅを有しており、これら上位の選択項目毎に下位の選択項目が関連付けて表示される。図８の例では、上位の選択項目Ｂにハッチングで示すカーソルが移動され、該上位の選択項目Ｂに関連する下位の選択項目Ｂ１乃至Ｂ４が表示されている。
【００１８】
次に、図９を参照してメニュー操作ボタン１５０について説明する。
前記メニュー操作ボタン１５０は、上下方向に間隔をおいて配置された矢印ボタン１６０、１６２と、これら矢印ボタン１６０、１６２を挟んで左右方向に間隔をおいて配置された矢印ボタン１６４、１６６とを有し、これら４つの矢印ボタン１６０、１６２、１６４、１６６が十字形に配置されている。
さらに、システムメニューボタン１６８、ツールボタン１７０、エンターボタン１７２、リターンボタン１７４が前記４つの矢印ボタンを囲む正方形の角部に対応する４箇所にそれぞれ配置されている。
前記矢印ボタン１６０、１６２、１６４、１６６は、前記画面５０上においてカーソルを上方向、下方向、左方向、右方向に移動させるものである。更に詳しく説明すると、矢印ボタン１６０、１６２は、図８に示すように、メニュー５２Ａ内で前記カーソルを選択項目Ａ乃至Ｅの何れかに移動させるために、あるいは、メニュー５２Ｂ内で前記カーソルを選択項目Ｂ１乃至Ｂ４の何れかに移動させるために使用される。また、矢印ボタン１６４、１６６は、図８に示すように、メニュー５２Ａと、メニュー５２Ｂの何れかに前記カーソルを移動させるために使用される。
前記システムメニューボタン１６８は、前記画面５０にメニュー５２を表示させるものである。
前記ツールボタン１７０は、前記画面５０に前記メニュー５２とは別のメニューを表示させるのものである。
前記エンターボタン１７２は、前記カーソルが表示されている選択項目を選択して実行させるものである。
前記リターンボタン１７４は、前記画面５０を１つ前の画面に戻すものである。
このように構成された前記操作ボタン１５０によれば、メニュー操作を行なうために必要な矢印ボタン１６０、１６２、１６４、１６６、システムメニューボタン１６８、ツールボタン１７０、エンターボタン１７２、リターンボタン１７４が一箇所に集めて操作しやすいように配置されているので、メニュー操作を行なう際の操作性を向上させる上で有利となる。
【００１９】
【発明の効果】
以上説明したように本発明によれば、開閉扉の開放時に生じる隙間を確実に閉塞できるとともに、構成の簡素化、低コスト化、小型化を図る上で有利な扉開閉機構および電子機器を提供することにある。
【図面の簡単な説明】
【図１】本発明の第１の実施の形態における電子機器としての光ディスク装置の構成を示すブロック図である。
【図２】本発明の実施の形態における光ディスク装置の開閉扉が閉塞位置にある状態を示す斜視図である。
【図３】開閉扉が開放位置にある状態を示す斜視図である。
【図４】トレーが突出された状態を示す斜視図である。
【図５】開閉扉が起立位置に位置した状態を示す説明図である。
【図６】開閉扉が起立位置と倒伏位置の中間位置に位置した状態を示す説明図である。
【図７】開閉扉が倒伏位置に位置した状態を示す説明図である。
【図８】メニュー画面の説明図である。
【図９】メニュー操作ボタンの部分を拡大した斜視図である。
【符号の説明】
３０……開閉扉、３００４……扉本体、３００８……内側アーム、３０１０……軸受部、３２……蓋片、１００……光ディスク装置、１３０……筐体、１３２……前面、１３３……開口、Ｓ……隙間。
【図１】
2004259817.tif 000003
【図２】
2004259817.tif 000004
【図３】
2004259817.tif 000005
【図４】
2004259817.tif 000006
【図５】
2004259817.tif 000007
【図６】
2004259817.tif 000008
【図７】
2004259817.tif 000009
【図８】
2004259817.tif 000010
【図９】
2004259817.tif 000011